(57)【要約】【課題】高ダイナミックレンジ（ＨＤＲ）映像の制作においてディスプレイ性能の最大輝度を超える輝度に対応する映像信号レベルに対する管理を容易にする。【解決手段】映像表示部は、所定の輝度範囲の下限を与える第１の信号レベルに基づく第１の映像、および輝度範囲の上限を与える第２の信号レベルに基づく第２の映像を表示する。測定部は、第１の映像の輝度および第２の映像の輝度を測定する。パラメータ表示部は、測定部が測定した第１の映像の輝度、第２の映像の輝度、映像表示部が表示する映像の最大輝度、および最大輝度を与える信号レベルの最小値を表示する。輝度制御部は、映像表示部に表示される映像の輝度の調整パラメータが入力されるとき、調整パラメータに基づく補正関数を用いて映像表示部に表示される映像の輝度を制御する。【選択図】図１
2017120330.tif 000002
【特許請求の範囲】
【請求項１】
所定の輝度範囲の下限を与える第１の信号レベルに基づく第１の映像、および前記輝度範囲の上限を与える第２の信号レベルに基づく第２の映像を表示する映像表示部と、
前記第１の映像の輝度および前記第２の映像の輝度を測定する測定部と、
前記測定部が測定した前記第１の映像の輝度、前記第２の映像の輝度、前記映像表示部が表示する映像の最大輝度、および前記最大輝度を与える信号レベルの最小値を表示するパラメータ表示部と、
前記映像表示部に表示される映像の輝度の調整パラメータが入力されるとき、前記調整パラメータに基づく補正関数を用いて前記映像表示部に表示される映像の輝度を制御する輝度制御部と、
を備える輝度調整装置。
【請求項２】
前記調整パラメータは、映像信号レベルに対する指数であるシステムガンマを含み、
前記パラメータ表示部は、前記システムガンマを表示する
ことを特徴とする請求項１に記載の輝度調整装置。
【請求項３】
前記輝度制御部は、前記第１の映像の輝度と前記第２の映像の輝度を電光変換関数に基づいて外挿して、前記所定の輝度範囲よりも広い第２の輝度範囲の上限である第３の映像の輝度を算出し、
前記パラメータ表示部は、前記第３の映像の輝度をさらに表示する
ことを特徴とする請求項１または請求項２に記載の輝度調整装置。
【請求項４】
前記映像表示部は、少なくとも前記最大輝度よりも高い輝度を与える信号レベルに基づく第４の映像をさらに表示し、
前記測定部は、前記第４の映像の輝度をさらに測定し、
前記輝度制御部は、前記第４の映像の輝度を前記最大輝度として定める
ことを特徴とする請求項１から請求項３のいずれか一項に記載の輝度調整装置。
【請求項５】
所定の輝度範囲の下限を与える第１の信号レベルに基づく第１の映像、および前記輝度範囲の上限を与える第２の信号レベルに基づく第２の映像を表示する映像表示部と、
前記第１の映像の輝度および前記第２の映像の輝度を測定する測定部と、
前記測定部が測定した前記第１の映像の輝度、前記第２の映像の輝度、前記映像表示部が表示する映像の最大輝度、および前記最大輝度を与える信号レベルの最小値を表示するパラメータ表示部と、
前記映像表示部に表示される映像の輝度の調整パラメータが入力されるとき、前記調整パラメータに基づく補正関数を用いて前記映像表示部に表示される映像の輝度を制御する輝度制御部と、
を備える輝度調整装置として機能させる輝度調整プログラム。
【発明の詳細な説明】
【技術分野】
【０００１】
本発明は、輝度調整装置および輝度調整プログラムに関する。
【背景技術】
【０００２】
本発明は、輝度調整装置および輝度調整プログラムに関する。当該輝度調整装置および輝度調整プログラムは、高ダイナミックレンジ（ＨＤＲ：ｈｉｇｈ  ｄｙｎａｍｉｃ  ｒａｎｇｅ）対応ディスプレイの輝度の調整に関する。
【０００３】
カメラが撮影した映像を示す映像信号を取得し、取得した映像信号に基づく映像をディスプレイに表示する過程は、光信号から電気信号への変換と、電気信号から光信号への変換を伴う。光信号から電気信号への変換特性、電気信号から光信号への変換特性は、それぞれ光電変換関数（ＯＥＴＦ：ｏｐｔｉｃａｌ−ｅｌｅｃｔｒｏ  ｔｒａｎｓｆｅｒ  ｆｕｎｃｔｉｏｎ）、電光変換関数（ＥＯＴＦ：ｅｌｅｃｔｒｏ−ｏｐｔｉｃａｌ  ｔｒａｎｓｆｅｒ  ｆｕｎｃｔｉｏｎ）と呼ばれる。例えば、現行の高精細度テレビジョン放送（ＨＤＴＶ：ｈｉｇｈ−ｄｅｆｉｎｉｔｉｏｎ  ｔｅｌｅｖｉｓｉｏｎ）では、ＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏｃｏｍｍｕｎｉｃａｔｉｏｎ  Ｓｅｃｔｏｒ）勧告ＢＴ．７０９−５に規定されているＯＥＴＦが映像コンテンツの撮像に採用されている。他方、番組制作に用いられるマスターディスプレイにおいて、ＩＴＵ−Ｒ勧告ＢＴ．１８８６に規定されているＥＯＴＦが採用されている。ＥＯＴＦは、式（１）に示すようにコントラストαおよびブライトネスβの関数である。
【０００４】
【数１】
2017120330.tif 000003
【０００５】
コントラストαとブライトネスβは、観視環境の明るさに応じてディスプレイの輝度を適切に調整するためのパラメータである。コントラストαは、入力された映像信号の映像信号レベルに対して与えられるゲインである。つまり、コントラストαは、ユーザーの操作に応じたゲイン調整の対象となるパラメータである。ブライトネスβは、映像信号の基準黒輝度の調整の対象となるパラメータである。基準黒輝度とは、映像の輝度の基準値のうち最低の映像信号レベルである基準黒レベルに基づいて得られる輝度である。つまり、ブライトネスβは、ユーザーの操作に応じた基準輝度レベルの調整の対象となるパラメータである。また、Ｌ、Ｖ、γは、それぞれディスプレイの輝度、映像信号レベル、ディスプレイ特性を示す冪指数（ｅｘｐｏｎｅｎｔ  ｏｆ  ｐｏｗｅｒ  ｆｕｎｃｔｉｏｎ）を示す。映像信号レベルＶは、例えば、０から１．０９までの値をとるように正規化された実数である。指数γは、例えば、ＣＲＴ（ｃａｔｈｏｄ  ｒａｙ  ｔｕｂｅ）ディスプレイについて２．４である。
【０００６】
同勧告に従うことで、ＣＲＴディスプレイとは異なる種類のディスプレイ、例えば、液晶ディスプレイ、有機ＥＬ（ｅｌｅｃｔｒｏ−ｌｕｍｉｎｅｓｃｅｎｃｅ）ディスプレイが映像制作に用いられる場合であっても、映像制作と管理において映像の輝度を統一することができる。そのため、映像制作と管理における一貫性が保証される。従来の高精細度テレビジョン放送における映像制作では、基準黒輝度、基準白輝度の映像信号レベルをそれぞれ０［ＩＲＥ（Ｉｎｓｔｉｔｕｔｅ  ｏｆ  Ｒａｄｉｏ  Ｅｎｇｉｎｅｅｒｓ）］、１００［ＩＲＥ］として輝度の階調ＬＨが表現される（図３参照）。基準白輝度は、通例１００［ｃｄ／ｍ２］である。この基準黒輝度から基準白輝度までの従来の輝度範囲は、標準ダイナミックレンジ（ＳＤＲ：ｓｔａｎｄａｒｄ  ｄｙｎａｍｉｃ  ｒａｎｇｅ）と呼ばれることがある。
【０００７】
昨今では、次世代テレビジョン放送方式へのＨＤＲ映像の応用が検討されている。次世代の放送方式では、ＨＤＲ映像の輝度範囲内にＳＤＲ映像の輝度範囲が確実に含まれるようにするため、基準白輝度の映像信号レベルである基準白レベルを１００［ＩＲＥ］未満の値として運用することが検討されている。このような運用により、基準白レベルよりも高い輝度を与えるＨＤＲ映像の高輝度要素が、より豊かな階調や色彩で表現される。ＨＤＲ映像の制作においても基準白輝度は、従来の高精細度テレビジョン放送における映像制作用の標準ディスプレイの基準白輝度と同程度となる見込みである。図３に示す例では、０−１００［ｃｄ／ｍ２］の範囲のＨＤＲ映像の輝度が、０−５０［ＩＲＥ］の範囲内の映像信号レベルで表現される。
【０００８】
現行のＡＲＩＢ  ＳＴＤ−Ｂ６７では、ＨＤＲ映像のＯＥＴＦは規定されているが、ＥＯＴＦは規定されていない。今後の標準化動向としてＡＲＩＢ  ＳＴＤ  Ｂ−６７に規定のＯＥＴＦに対応するＥＯＴＦとして、そのＯＥＴＦの逆関数が提案される見込みである。さらに、調整後の最終的な出力輝度を観視環境に応じた輝度に変換するための補正関数としてＯＯＴＦ（ｏｐｔｉｃａｌ  ｏｐｔｉｃａｌ  ｔｒａｎｓｆｅｒ  ｆｕｎｃｔｉｏｎ）が検討されている。ＯＯＴＦの調整パラメータには、コントラストαとブライトネスβの他、システムガンマγが含まれる。システムガンマγは、上述の指数γを可変にしたパラメータに相当する。
【先行技術文献】
【非特許文献】
【０００９】
【非特許文献１】ＩＴＵ，Ｒｅｆｅｒｅｎｃｅ  ｅｌｅｃｔｒｏ−ｏｐｔｉｃａｌ  ｔｒａｎｓｆｅｒ  ｆｕｎｃｔｉｏｎ  ｆｏｒ  ｆｌａｔ  ｐａｎｅｌ  ｄｉｓｐｌａｙｓ  ｕｓｅｄ  ｉｎ  ＨＤＴＶ  ｓｔｕｄｉｏ  ｐｒｏｄｕｃｔｉｏｎ，Ｒｅｃｏｍｍｅｎｄａｔｉｏｎ  ＩＴＵ−Ｒ，ＢＴ．１８８６，（０３／２０１１）
【非特許文献２】電波産業会，ＥＳＳＥＮＴＩＡＬ  ＰＡＲＡＭＥＴＥＲ  ＶＡＬＵＥＳ  ＦＯＲ  ＴＨＥ  ＥＸＴＥＮＤＥＤ  ＩＭＡＧＥ  ＤＹＮＡＭＩＣ  ＲＡＮＧＥ  ＴＥＬＥＶＩＳＩＯＮ  （ＥＩＤＲＴＶ）  ＳＹＳＴＥＭ  ＦＯＲ  ＰＲＯＧＲＡＭＭＥ  ＰＲＯＤＵＣＴＩＯＮ，ＡＲＩＢ  ＳＴＤ−Ｂ６７  Ｖｅｒｓｉｏｎ  １．０，  Ｊｕｌｙ  ３，２０１５
【発明の概要】
【発明が解決しようとする課題】
【００１０】
現行の高精細度テレビジョン放送の映像制作におけるディスプレイの輝度調整では、主にコントラストαとブライトネスβの２つのパラメータが用いられる。調整対象の輝度として、ＳＤＲ映像の基準輝度である基準黒輝度０［ＩＲＥ］と基準白輝度１００［ＩＲＥ］が用いられる。基準黒輝度と基準白輝度は、通例、ディスプレイが表現可能な実効的な輝度の範囲内に収まり、映像信号レベルは、基準黒レベルと基準白レベルの範囲内に割り当てられる。そのため、ディスプレイに表される映像の階調つぶれは、ほとんど起こらなかった。階調つぶれとは、映像信号レベルに対応する輝度が、ディスプレイの性能として表現可能な輝度の範囲を超えるために、ディスプレイに表される映像がディスプレイの性能として表現可能な輝度の限界に制限される現象である。
他方、ＨＤＲ映像の制作におけるディスプレイの輝度調整では、調整パラメータとして、コントラストαとブライトネスβに、新たにシステムガンマγが追加される。また、調整対象の輝度は、基準黒レベルと基準白レベルにそれぞれ対応する基準黒輝度０［ＩＲＥ］と基準白輝度５０［ＩＲＥ］である。調整パラメータにより算出されるＥＯＴＦに基づいて、映像信号レベルのピーク値に対して与えられる理想的なピーク白輝度（１００［ＩＲＥ］または１０９［ＩＲＥ］）は、ディスプレイが表現可能な輝度の最大値を超えることがある。そのため、高い映像信号レベルを含む映像信号について映像の階調つぶれが容易に発生することが想定される。よって、ＨＤＲ映像の制作においてディスプレイ性能の最大輝度を超える輝度に対応した映像信号レベルの管理が困難になるという課題が生じる。
【課題を解決するための手段】
【００１１】
本発明は上記の課題を解決するためになされたものであり、［１］本発明の一態様は、所定の輝度範囲の下限を与える第１の信号レベルに基づく第１の映像、および前記輝度範囲の上限を与える第２の信号レベルに基づく第２の映像を表示する映像表示部と、前記第１の映像の輝度および前記第２の映像の輝度を測定する測定部と、前記測定部が測定した前記第１の映像の輝度、前記第２の映像の輝度、前記映像表示部が表示する映像の最大輝度、および前記最大輝度を与える信号レベルの最小値を表示するパラメータ表示部と、前記映像表示部に表示される映像の輝度の調整パラメータが入力されるとき、前記調整パラメータに基づく補正関数を用いて前記映像表示部に表示される映像の輝度を制御する輝度制御部と、を備える輝度調整装置である。
［１］の構成によれば、ユーザーは、映像表示部に表示される第１の映像の輝度、第２の映像の輝度が、それぞれ所定の輝度範囲の下限、所定の輝度範囲の上限となることを確認しながら、調整パラメータを指示することができる。そして、調整パラメータによって与えられる最大輝度を与える信号レベルの最小値を確認することができる。これによって、ユーザーは、所定の輝度範囲を超える輝度範囲を有する映像の制作において、映像表示部が表現可能な最大輝度とその最大輝度を与える信号レベルを把握することができる。そのため、ユーザーは、映像表示部が表現可能な最大輝度を超える映像信号レベルの管理をより容易に行うことができる。
【００１２】
［２］本発明の一態様は、上述の輝度調整装置であって、前記調整パラメータは、映像信号レベルに対する指数であるシステムガンマを含み、前記パラメータ表示部は、前記システムガンマを表示することを特徴とする。
［２］の構成によれば、ユーザーは、入力されたシステムガンマを把握することができるので、その値の変化によって敏感に変化する輝度の変化を確認しながら、正確にシステムガンマの値を調整することができる。
【００１３】
［３］本発明の一態様は、上述の輝度調整装置であって、前記輝度制御部は、前記第１の映像の輝度と前記第２の映像の輝度を電光変換関数に基づいて外挿して、前記所定の輝度範囲よりも広い第２の輝度範囲の上限である第３の映像の輝度を算出し、前記パラメータ表示部は、前記第３の映像の輝度をさらに表示する。
［３］の構成によれば、ユーザーは、第２の輝度範囲の上限の輝度と映像表示部が表現可能な最大輝度とを比較し、かつ、その最大輝度を与える信号レベルを参照することができる。そのため、ユーザーは、映像表示部が表現可能な輝度の上限を容易に把握することができる。
【００１４】
［４］本発明の一態様は、上述の輝度調整装置であって、前記映像表示部は、少なくとも前記最大輝度よりも高い輝度を与える信号レベルに基づく第４の映像をさらに表示し、前記測定部は、前記第４の映像の輝度をさらに測定し、前記輝度制御部は、前記第４の映像の輝度を前記最大輝度として定めることを特徴とする。
［４］の構成によれば、映像表示部の輝度特性の経年変化や、映像表示部の交換による輝度特性の変化に応じた表現可能な最大輝度が測定される。そのため、測定された最大輝度に基づく映像表示部の輝度の調整が可能となる。
【００１５】
［５］本発明の一態様は、所定の輝度範囲の下限を与える第１の信号レベルに基づく第１の映像、および前記輝度範囲の上限を与える第２の信号レベルに基づく第２の映像を表示する映像表示部と、前記第１の映像の輝度および前記第２の映像の輝度を測定する測定部と、前記測定部が測定した前記第１の映像の輝度、前記第２の映像の輝度、前記映像表示部が表示する映像の最大輝度、および前記最大輝度を与える信号レベルの最小値を表示するパラメータ表示部と、前記映像表示部に表示される映像の輝度の調整パラメータが入力されるとき、前記調整パラメータに基づく補正関数を用いて前記映像表示部に表示される映像の輝度を制御する輝度制御部と、を備える輝度調整装置として機能させる輝度調整プログラムである。
［５］の構成によれば、ユーザーは、映像表示部に表示される第１の映像の輝度、第２の映像の輝度が、それぞれ所定の輝度範囲の下限、所定の輝度範囲の上限となることを確認しながら、調整パラメータを指示することができる。そして、調整パラメータによって与えられる最大輝度を与える信号レベルの最小値を確認することができる。これによって、ユーザーは、所定の輝度範囲を超える輝度範囲を有する映像の制作において、映像表示部が表現可能な最大輝度とその最大輝度を与える信号レベルを把握することができる。そのため、ユーザーは、映像表示部が表現可能な最大輝度を超える映像信号レベルの管理をより容易に行うことができる。
【発明の効果】
【００１６】
本発明によれば、ＨＤＲ映像の制作においてディスプレイ性能の最大輝度を超える輝度に対応する映像信号レベルに対する管理が容易になる。
【図面の簡単な説明】
【００１７】
【図１】本実施形態に係る輝度調整装置の機能構成を示す概略ブロック図である。
【図２】本実施形態に係る表示パラメータの例を示す一覧表である。
【図３】映像信号レベルと輝度の関係の例を示す図である。
【図４】本実施形態に係る輝度調整装置の外観構成を示す図である。
【図５】本実施形態に係る輝度調整処理を示すフローチャートである。
【発明を実施するための形態】
【００１８】
以下、図面を参照しながら本発明の実施形態について説明する。
図１は、本実施形態に係る輝度調整装置１の機能構成を示す概略ブロック図である。
本実施形態に係る輝度調整装置１は、映像入力部１０と、輝度制御部２０と、ユーザー制御入力部３０と、自動測定部４０と、パラメータ表示部５０と、映像表示部６０とを含んで構成される。
【００１９】
映像入力部１０は、映像信号が入力されるデータ入出力インタフェースを含んで構成される。映像信号は、フレーム毎の映像を所定の時間間隔で表す。フレーム毎の映像は、複数の画素から構成され、画素毎の映像信号レベルを示す映像信号に基づいて表わされる。映像入力部１０は、入力された映像信号を輝度制御部２０に出力する。
【００２０】
輝度制御部２０は、映像信号レベルと輝度の補正量との対応関係を示す補正関数をユーザー制御入力部３０から入力された調整パラメータに基づいて算出する。調整パラメータには、コントラストα、ブライトネスβ、およびシステムガンマγが含まれる。輝度制御部２０は、映像信号レベルに対応した補正関数を用いて映像入力部１０から入力された映像信号が示す映像信号レベルを調整する。輝度制御部２０は、調整した映像信号レベルを示す映像信号を映像表示部６０に出力する。輝度制御部２０は、補正関数として、例えば、式（２）に示すＯＯＴＦ  Ｌを用いる。
【００２１】
【数２】
2017120330.tif 000004
【００２２】
式（２）において、Ｈは、ＥＯＴＦを示す。即ち、ＯＯＴＦ  Ｌは、ＥＯＴＦ  Ｈをγ乗して得られる値Ｈγを、コントラストαをゲインとして乗算して得られた値αＨγに、さらにブライトネスβをオフセット値として加算して算出される。（２）の右辺に示すＯＯＴＦ  Ｌは、ＥＯＴＦ  Ｈが式（３）に示す関係にある場合を例にする。
【００２３】
【数３】
2017120330.tif 000005
【００２４】
式（３）に示すＥＯＴＦ  Ｈは、ＡＲＩＢ  ＳＴＤ−Ｂ６７に規定されたＯＥＴＦの逆関数である。ＥＯＴＦ  Ｈは、映像信号レベルＶにＯＯＴＦに基づいて補正する前の輝度のリニア出力値を与える関数である。式（２）、（３）において、ａ、ｂ、ｃは、それぞれ所定の定数０．１７８８３２７７、０．２８４６６８９２、０．５５９９１０７３である。輝度制御部２０には、定数ａ、ｂ、ｃを予め設定しておく。ｒは、基準白レベルを示す。本実施形態では、例えば、ｒ＝０．５（５０［ＩＲＥ］に相当）である。
【００２５】
輝度制御部２０は、所定の輝度の基準値を有する基準映像を映像表示部６０に表示させ、自動測定部４０から入力された基準映像の輝度に基づいて表示パラメータを定める。輝度の基準値には、基準黒輝度ＬＢ、基準白輝度ＬＷ、１００％ピーク白輝度Ｌ１００ＩＲＥ、１０９％ピーク白輝度Ｌ１０９ＩＲＥが含まれる。輝度制御部２０が定めた表示パラメータをパラメータ表示部５０に出力する。表示パラメータには、測定された輝度の基準値、実ピーク輝度ＬＤｉｓｐ、最大ＩＲＥ値Ｍａｘ_ＩＲＥおよびシステムガンマγが含まれる。輝度の基準値、表示パラメータおよび輝度制御部２０が行う輝度調整処理については、後述する。
【００２６】
ユーザー制御入力部３０は、ユーザーの操作に応じて調整パラメータを定め、定めた調整パラメータを輝度制御部２０に出力する。ユーザー制御入力部３０は、例えば、操作に応じてパラメータを定めるための部材としてダイヤル、つまみ、ボタン、などを含んで構成される。これらの部材は、物理的な部材で構成されてもよいし、所定の制御プログラムで指示される動作を実行する制御デバイスを含んで構成されたユーザインタフェースであってもよい。制御デバイスは、例えば、ＣＰＵ（Ｃｅｎｔｒａｌ  Ｐｒｏｃｅｓｓｉｎｇ  Ｕｎｉｔ）である。制御デバイスは、制御プログラムで指示される処理としてマウス、ジョイスティックなどのポインティングデバイスで指定された座標に対応するパラメータ値を取得し、取得したパラメータ値をパラメータ表示部５０に表示させてもよい。
【００２７】
自動測定部４０は、輝度制御部２０が映像表示部６０に表示させた基準映像の輝度を測定し、測定した基準映像の輝度を輝度制御部２０に出力する。自動測定部４０は、例えば、フォトダイオードを有する輝度センサを含んで構成される。フォトダイオードは、照射された光の強度に応じた電圧を有する電気信号を生じる素子である。
【００２８】
パラメータ表示部５０は、輝度制御部２０から入力された表示パラメータを表示する。パラメータ表示部５０は、例えば、表示パラメータの数値を表示する表示パネルを含んで構成される。表示パネルは、液晶パネル、有機ＥＬパネルなど、いずれの種類であってもよい。
【００２９】
映像表示部６０は、輝度制御部２０から入力された映像信号に基づく映像を表示する。映像表示部６０は、ディスプレイを含んで構成される。ディスプレイは、液晶ディスプレイ、有機ＥＬディスプレイなど、いずれの種類であってもよい。
【００３０】
（表示パラメータ）
次に、本実施形態に係る表示パラメータについて説明する。図２は、本実施形態に係る表示パラメータの例を示す一覧表である。
基準黒輝度ＬＢは、映像信号レベルが０［ＩＲＥ］であるときに与えられるディスプレイ輝度である。ＩＲＥは、映像信号レベルの単位の一つである。従来のＳＤＲ映像では、ＩＲＥは、ディスプレイに表示される映像の最小輝度（黒）、最大輝度（白）に対応する映像信号レベルをそれぞれ０、１００として正規化された値を示す。ＩＲＥに代えて、％が用いられることがある。基準白輝度ＬＷは、ＨＤＲ映像では映像信号レベルが５０［ＩＲＥ］であるときに与えられるディスプレイ輝度である。従来のＳＤＲ映像では、この輝度が、１００［ＩＲＥ］の映像信号レベルに対応付けられていた。１００％ピーク白輝度Ｌ１００ＩＲＥは、ＨＤＲ映像では映像信号レベルが１００［ＩＲＥ］であるときに与えられるディスプレイ輝度であり、通例、基準白輝度ＬＷよりも格段に高い。１０９％ピーク白輝度Ｌ１０９ＩＲＥは、映像信号レベルが１０９［ＩＲＥ］であるときに与えられるディスプレイ輝度であり、１００％ピーク白輝度Ｌ１００ＩＲＥよりも高い。映像信号レベルとして、１００％ピーク白輝度Ｌ１００ＩＲＥを超える輝度またはその輝度の範囲は、スーパーホワイトと呼ばれることがある。最大輝度の基準値として、１００％ピーク白輝度Ｌ１００ＩＲＥの他に１０９％ピーク白輝度Ｌ１０９ＩＲＥが設けられているのは、ＨＤＲ映像においてスーパーホワイトが許容されうるためである。実ピーク輝度ＬＤｉｓｐは、ディスプレイの性能として表現可能な最大輝度である。最大ＩＲＥ値Ｍａｘ_ＩＲＥは、表現可能な最大輝度に対応するＩＲＥ値である。システムガンマγは、輝度制御部２０が式（２）に示すＯＯＴＦを算出する際に用いられる。
【００３１】
（映像信号レベルと輝度の関係）
次に、映像信号が示す映像信号レベルと映像表示部６０が表示する映像の輝度の例について説明する。
図３は、映像信号レベルと輝度の関係の例を示す図である。
図３において、縦軸、横軸は、それぞれ映像信号レベル、輝度を示す。曲線Ｌｕは、ＨＤＲ映像の輝度を例示する。図３に示す輝度は、式（２）に示すＥＯＴＦと、式（３）に示すＯＯＴＦとを乗じて算出される。この例では、コントラストα、ブライトネスβ、システムガンマγは、それぞれ１００、０、１．２である。この条件のもとで、基準黒輝度ＬＢ、基準白輝度ＬＷ、１００％ピーク白輝度Ｌ１００ＩＲＥ、１０９％ピーク白輝度Ｌ１０９ＩＲＥは、それぞれ０、１００、２０００、３５７０［ｃｄ／ｍ２］となる。輝度制御部２０は、式（３）に示すＥＯＴＦと、調整パラメータα、β、γによって算出されるＯＯＴＦに基づいて実ピーク輝度ＬＤｉｓｐを与える映像信号レベルを算出し、算出した映像信号レベルに１００を乗じて最大ＩＲＥ値Ｍａｘ  ＩＲＥを算出する。図３に示す例では、実ピーク輝度ＬＤｉｓｐは７５０［ｃｄ／ｍ２］である。このとき、最大ＩＲＥ値Ｍａｘ  ＩＲＥは、８４．９となる。最大ＩＲＥ値Ｍａｘ  ＩＲＥは、ディスプレイが表現可能な最大輝度を与えるＩＲＥ値のうち、最小のＩＲＥ値である。言い換えれば、最大ＩＲＥ値Ｍａｘ  ＩＲＥよりもＩＲＥ値が大きい場合でも、映像表示部６０は、実ピーク輝度ＬＤｉｓｐを超える輝度の映像を表示することができない。
【００３２】
他方、曲線ＬＨは、ＳＤＲ映像の輝度を例示する。この例では、基準黒輝度ＬＢ、基準白輝度ＬＷは、それぞれ０、１００［ｃｄ／ｍ２］となり、それぞれ０［ＩＲＥ］、１００［ＩＲＥ］の映像信号レベルに対応付けられている。そのため、従来のＳＤＲ映像の制作においては、０［ＩＲＥ］、１００［ＩＲＥ］の映像信号レベルにそれぞれ対応する輝度が、基準黒輝度ＬＢ、基準白輝度ＬＷとなるように調整すれば事足りる。これに対し、ＨＤＲ映像では、ＳＤＲ映像の輝度範囲と同様の輝度範囲が、映像信号レベルのとりうる値の範囲の一部である０［ＩＲＥ］−５０［ＩＲＥ］に対応付けられる。ＨＤＲ映像の制作においてユーザーは、少なくとも映像信号レベル０［ＩＲＥ］、５０［ＩＲＥ］について表示される映像の輝度が、それぞれ所定の基準黒輝度ＬＢ、基準白輝度ＬＷとなるように調整パラメータを調整することが要求される。そして、ユーザーは、映像表示部６０により表現可能な輝度の上限である実ピーク輝度ＬＤｉｓｐと、実ピーク輝度ＬＤｉｓｐに対応する最大ＩＲＥ値Ｍａｘ_ＩＲＥを確認することが要求される。この最大ＩＲＥ値Ｍａｘ_ＩＲＥは、映像表示部６０が表現可能な映像信号レベルの上限に相当する。また、ユーザーには、システムガンマγを都度確認することが望まれる。システムガンマγは、映像信号レベルの変化に対する輝度の傾きを調整するために用いられるが、ＥＯＴＦを冪乗する指数であるため、その変化に対して補正される輝度が敏感に変化するためである。
【００３３】
なお、以下の説明では、輝度の基準値として、基準黒輝度ＬＢ、基準白輝度ＬＷ、１００％ピーク白輝度Ｌ１００ＩＲＥ、１０９％ピーク白輝度Ｌ１０９ＩＲＥに対応する映像信号レベルを、それぞれ基準黒レベル、基準白レベル、１００％ピーク白レベル、１０９％ピーク白レベルと呼ぶ。基準黒レベル、基準白レベル、１００％ピーク白レベル、１０９％ピーク白レベルを与える１２ビットの信号値は、例えば、それぞれ２５６、２００８、３７６０、４０７５である。また、基準黒レベル、基準白レベル、１００％ピーク白レベル、１０９％ピーク白レベルを有する映像信号に基づいて表示される映像を、それぞれ基準黒映像、基準白映像、１００％ピーク白映像、１０９％ピーク白映像と呼ぶ。また、これら基準映像を示す映像信号を基準映像信号と総称する。
【００３４】
（外観構成）
次に、本実施形態に係る輝度調整装置１の外観構成について説明する。図４は、本実施形態に係る輝度調整装置１の外観構成を示す図である。
図４は、ユーザー制御入力部３０、自動測定部４０、パラメータ表示部５０および映像表示部６０を示す。図４では、映像入力部１０と輝度制御部２０の図示が省略されている。
【００３５】
図４に示す例では、ユーザー制御入力部３０とパラメータ表示部５０は、一体化されたモジュールとして形成されている。ユーザー制御入力部３０は、ダイヤル３０α、３０β、３０γを含んで構成される。ダイヤル３０α、３０β、３０γは、モジュールの表面において左方から右方に向けて順に配置されている。ダイヤル３０α、３０β、３０γは、コントラストα、ブライトネスβ、システムガンマγを指示するための部材である。ダイヤル３０α、３０β、３０γは、ユーザーの回転操作により方位が可変であり、それぞれの方位角に応じたコントラストα、ブライトネスβ、システムガンマγが指示される。
【００３６】
パラメータ表示部５０は、モジュール表面においてユーザー制御入力部３０よりも上部に配置され、表示パネルを含んで構成される。表示パネルは、個々の表示パラメータの種別と、それぞれの種別の直下にその表示パラメータの値を表示する。図４に示す例では、表示パネルの最上段において、基準黒輝度ＬＢ、基準白輝度ＬＷ、１００％ピーク白輝度Ｌ１００ＩＲＥ、１０９％ピーク白輝度Ｌ１０９ＩＲＥ、実ピーク輝度ＬＤｉｓｐ、最大ＩＲＥ値Ｍａｘ_ＩＲＥ、システムガンマγが、左方から右方に向けて順に配置されている。それぞれのパラメータの値として、０．１［ｃｄ／ｍ２］、１０２．５［ｃｄ／ｍ２］、２０００［ｃｄ／ｍ２］、３５７０［ｃｄ／ｍ２］、７５０［ｃｄ／ｍ２］、８４．９［ＩＲＥ］、１．２が表示されている。これにより、ユーザーは、基準黒輝度ＬＢ、基準白輝度ＬＷがそれぞれ所定の輝度であることを確認しながら、調整パラメータであるコントラストα、ブライトネスβおよびシステムガンマγを調整することができる。このとき、ユーザーは、ＨＤＲ映像の制作において実ピーク輝度ＬＤｉｓｐの値と最大ＩＲＥ値Ｍａｘ_ＩＲＥの値を視認することで、映像表示部６０が表現可能な輝度の上限と、映像信号レベルの上限を確認することができる。
なお、この例では、１００％ピーク白輝度Ｌ１００ＩＲＥと１０９％ピーク白輝度Ｌ１０９ＩＲＥは、それぞれ１００％ピーク白映像、１０９％ピーク白映像に基づく実測値ではなく、基準黒輝度ＬＢと基準白輝度ＬＷに基づく計算値である。これらの値は、輝度制御部２０において、実測値である基準黒輝度ＬＢと基準白輝度ＬＷを、ＥＯＴＦを用いて外挿することによって算出することができる。
【００３７】
また、ユーザーは、その値の変化に応じて輝度が敏感に変換するシステムガンマγの値を視認することで、精密にシステムガンマγの値を調整することができる。さらに、ユーザーは、ＨＤＲ映像の輝度の上限を与える１００％ピーク白映像、１０９％ピーク白映像を視認することにより、映像表示部６０により表現可能な輝度の範囲を確認することができる。なお、図４に示す例では、１００％ピーク白輝度Ｌ１００ＩＲＥ、１０９％ピーク白輝度Ｌ１０９ＩＲＥの値は、与えられたコントラストα、ブライトネスβおよびシステムガンマγに応じて式（２）を用いて輝度制御部２０が算出した１００％ピーク白輝度Ｌ１００ＩＲＥ、１０９％ピーク白輝度Ｌ１０９ＩＲＥの計算値である。
【００３８】
図４に示す例では、自動測定部４０は、映像表示部６０のディスプレイに設置されている。自動測定部４０の一端は、ディスプレイの周縁部に固定され、他端には輝度センサが備えられている。輝度センサは、ディスプレイの映像表示領域に表示される映像の輝度を計測する。これにより、上述した基準映像が表示されるとき、その輝度が計測される。輝度センサは、ディスプレイの表面に近接され、その周囲からの外部光が遮断される。ディスプレイ表面から輝度センサまでの距離は、例えば１［ｍｍ］以下である。自動測定部４０の他端は、ディスプレイの周縁部（べゼル）に移動する機構を有していてもよい。映像の輝度を測定しないときディスプレイの周縁部に収納されることで、輝度センサの表面が保護される。
【００３９】
映像表示部６０は、ディスプレイを含んで構成される。ディスプレイの映像表示領域には、輝度制御部２０から入力される映像信号に基づく映像が表示される。表示される映像は、例えば、制作対象の映像である。後述する輝度調整処理が行われるときには、基準映像が表示される。本実施形態では、２段階の映像信号レベルを有する基準映像信号に基づく基準映像が所定の時間間隔（例えば、１秒）で順次表示される。２段階の映像信号レベルは、上述の基準黒レベル、および基準白レベルである。
【００４０】
（輝度調整処理）
次に、本実施形態に係る輝度調整処理について説明する。
図５は、本実施形態に係る輝度調整処理を示すフローチャートである。輝度調整装置１は、自装置への電源投入直後、またはユーザーの操作により指示された時点において、以下に説明する輝度調整処理を開始する。
【００４１】
（ステップＳ１０１）輝度制御部２０は、輝度調整装置１が備える記憶媒体（図示せず）から予め記憶された調整パラメータであるコントラストα、ブライトネスβおよびシステムガンマγの初期値を読み出し、読み出した初期値を設定する。コントラストα、ブライトネスβ、システムガンマγの初期値は、例えば、それぞれ１００、０、１．２である。輝度制御部２０は、これらの初期値に基づくＯＯＴＦを算出する。なお、ＯＯＴＦは、調整パラメータの初期値に基づいて予め算出されていてもよい。その後、ステップＳ１０２の処理に進む。
【００４２】
（ステップＳ１０２）輝度制御部２０は、記憶媒体から予め記憶された基準映像信号を読み出し、設定したＯＯＴＦを用いて読み出した映像信号レベルを調整した基準映像信号を映像表示部６０に出力する。これにより、輝度制御部２０は、基準映像として基準黒輝度映像、基準白輝度映像を映像表示部６０に所定時間毎に順次表示させる。自動測定部４０は、映像表示部６０に表示された基準黒輝度映像、基準白輝度映像それぞれの輝度を測定する。輝度制御部２０には、自動測定部４０から基準黒輝度映像、基準白輝度映像それぞれの輝度である、基準黒輝度ＬＢ、基準白輝度ＬＷそれぞれの実測値が入力される。そして、輝度制御部２０は、基準黒輝度ＬＢと基準白輝度ＬＷを、式（３）に示すＥＯＴＦを用いて外挿して１００％ピーク白輝度Ｌ１００ＩＲＥ、１０９％ピーク白輝度Ｌ１０９ＩＲＥそれぞれの計算値を算出する。その後、ステップＳ１０３の処理に進む。
【００４３】
（ステップＳ１０３）輝度制御部２０は、式（３）に示すＥＯＴＦを用いて、基準黒輝度ＬＢ、基準白輝度ＬＷそれぞれの実測値を外挿し、輝度が実ピーク輝度ＬＤｉｓｐとなる映像信号レベルＶを算出する。輝度制御部２０は、算出した映像信号レベルを正規化して最大ＩＲＥ値を算出する。その後、ステップＳ１０４の処理に進む。
【００４４】
（ステップＳ１０４）輝度制御部２０は、表示パラメータとして基準黒輝度ＬＢの実測値、基準白輝度ＬＷの実測値、１００％ピーク白輝度Ｌ１００ＩＲＥの計算値、１０９％ピーク白輝度Ｌ１０９ＩＲＥの計算値、実ピーク輝度ＬＤｉｓｐ、最大ＩＲＥ値Ｍａｘ_ＩＲＥおよびシステムガンマγをパラメータ表示部５０に出力する。パラメータ表示部５０は、輝度制御部２０から入力された表示パラメータを表示する。その後、ステップＳ１０５の処理に進む。
【００４５】
（ステップＳ１０５）輝度制御部２０は、ユーザー制御入力部３０から調整パラメータの入力を待ち受ける。ユーザー制御入力部３０は、ユーザーの操作に応じて調整パラメータとしてコントラストα、ブライトネスβ、システムガンマγのいずれか、またはそれらの任意の組が指示される。ユーザー制御入力部３０は、指示された調整パラメータを輝度制御部２０に出力する。輝度制御部２０に調整パラメータとして少なくともコントラストα、ブライトネスβ、システムガンマγのいずれかがユーザー制御入力部３０から入力されるとき、ステップＳ１０６の処理に進む。
【００４６】
（ステップＳ１０６）輝度制御部２０は、ＯＯＴＦの算出に用いる調整パラメータを、ユーザー制御入力部３０から入力された調整パラメータに更新する。コントラストα、ブライトネスβ、システムガンマγのうちユーザー制御入力部３０から入力されない調整パラメータは更新されずに維持される。そして、輝度制御部２０は、コントラストα、ブライトネスβ、システムガンマγを用いて輝度の補正関数であるＯＯＴＦを算出する。その後、ステップＳ１０２に戻る。
【００４７】
（実ピーク輝度の設定）
上述した例では、実ピーク輝度ＬＤｉｓｐとして、ディスプレイの機種固有の表現可能な輝度の最大値を予め輝度制御部２０に設定しておくことを前提としていたが、これには限られない。輝度制御部２０は、上限またはそれに近い映像信号レベルを有する実ピーク輝度測定用映像信号を映像表示部６０に出力する。例えば、映像信号レベルに対応する１２ビットの信号値の上限は、４０９５（＝２１２−１）である。自動測定部４０は、映像表示部６０に表示された映像の輝度を測定し、測定した輝度を輝度制御部２０に出力する。輝度制御部２０は、自動測定部４０が測定した輝度を実ピーク輝度ＬＤｉｓｐとして定める。輝度制御部２０が、実ピーク輝度ＬＤｉｓｐを測定するタイミングは、輝度調整装置１への電源投入直後、ユーザーの操作により指示された時点、使用開始から所定時間（例えば、１箇月間隔）、のいずれでもよい。これにより、映像表示部６０として用いられるディスプレイの輝度特性の経年変化に追従した輝度調整が可能になる。
【００４８】
また、実ピーク輝度ＬＤｉｓｐを測定するタイミングは、映像表示部６０が輝度制御部２０に接続された時点でもよい。これにより、映像表示部６０として用いられるディスプレイの輝度特性の個体差、製造者や機種による差異に追従した輝度調整が可能になる。
なお、実ピーク輝度測定用映像信号の映像信号レベルは、いかなるディスプレイが表現可能な輝度の最大値である基準白輝度に対応する基準白輝度レベルよりも十分に大きければ、その上限に限られない。例えば、１０９％ピーク白輝度レベルまたは１００％ピーク白輝度レベルであってもよい。
【００４９】
以上に説明したように、本実施形態に係る輝度調整装置１は、少なくとも基準黒輝度を与える基準黒レベルに基づく基準黒映像、および基準白輝度を与える基準白信号レベルに基づく基準白映像を順次表示する映像表示部６０を備える。輝度調整装置１は、少なくとも基準黒映像の輝度および基準白映像の輝度を測定する自動測定部４０を備える。輝度調整装置１は、少なくとも自動測定部４０が測定した基準黒映像の輝度、基準白映像の輝度、映像表示部６０が表示する映像の最大輝度である実ピーク輝度および実ピーク輝度を与える最大ＩＲＥ値を表示するパラメータ表示部５０を備える。また、輝度調整装置１は、パラメータ表示部５０に表示される映像の輝度の調整パラメータが入力されるとき、入力される調整パラメータに基づく補正関数を用いて映像表示部６０に表示される映像の輝度を制御する輝度制御部２０と、を備える。
この構成によれば、ユーザーは、映像表示部６０に表示される基準黒映像の輝度、基準白映像の輝度が、それぞれ所定の基準黒輝度、基準白輝度となることを確認しながら、調整パラメータを指示することができる。そして、調整パラメータによって与えられる実ピーク輝度と最大ＩＲＥ値を確認することができる。これによって、ユーザーは、ＨＤＲ映像の制作において、映像表示部６０が表現可能な輝度の最大値である実ピーク輝度を与える最大ＩＲＥ値を把握することができる。そのため、ユーザーは、最大ＩＲＥ値を超える映像信号レベルの管理をより容易に行うことができる。
【００５０】
また、本実施形態に係る輝度調整装置１において、調整パラメータは、映像信号レベルに対する指数であるシステムガンマを含み、パラメータ表示部５０は、システムガンマを表示することを特徴とする。
この構成により、ユーザーは、入力されたシステムガンマを把握することができるので、その値の変化によって敏感に変化する輝度の変化を確認しながら、正確にシステムガンマの値を調整することができる。
【００５１】
また、本実施形態に係る輝度調整装置１において、輝度制御部２０は、基準黒輝度と基準白輝度をＥＯＴＦに基づいて外挿して、ＳＤＲ映像の輝度範囲よりも広いＨＤＲ映像の輝度範囲の上限である１００％ピーク白輝度、１０９％ピーク白輝度、またはその両者を算出する。そして、パラメータ表示部５０は、算出された１００％ピーク白映像、１０９％ピーク白映像、またはその両者の輝度をさらに表示する。
この構成により、ユーザーは、ＨＤＲ映像の輝度範囲の上限の輝度と実ピーク輝度とを比較し、かつ最大ＩＲＥ値を参照することができる。そのため、ユーザーは、映像表示部６０が表現可能な輝度の上限を容易に把握することができる。
【００５２】
また、本実施形態に係る輝度調整装置１において、映像表示部６０は、少なくとも基準白輝度よりも高い輝度を与える映像信号に基づく実ピーク輝度測定用映像をさらに表示する。そして、自動測定部４０は、実ピーク輝度測定用映像の輝度をさらに測定し、輝度制御部２０は、測定した実ピーク最大測定用映像の輝度を実ピーク輝度として定める。
この構成により、映像表示部６０の輝度特性の経年変化、映像表示部６０の交換による輝度特性の変化に応じた実ピーク輝度が測定される。そのため、測定された実ピーク輝度に基づく輝度の調整が可能となる。
【００５３】
以上、図面を参照してこの発明の一実施形態について説明してきたが、具体的な構成は上述のものに限られることはなく、この発明の要旨を逸脱しない範囲内において様々な設計変更等をすることが可能である。
【００５４】
例えば、ユーザー制御入力部３０、自動測定部４０、パラメータ表示部５０および映像表示部６０のいずれか、またはこれらの任意の組み合わせは、輝度調整装置１の本体の一部として構成されてもよいし、別体であってもよい。上述した例では、ユーザー制御入力部３０とパラメータ表示部５０が一体であるが、これらは別体であってもよい。また、上述した例では、自動測定部４０は映像表示部６０に固定されている場合を例にしたが、映像表示部６０から着脱可能であってもよい。また、上述した例では、映像表示部６０とパラメータ表示部５０が別体であったが、一体化されてもよい。また、輝度制御部２０は、表示パラメータと調整パラメータとを映像表示部６０に表示させることによって、これらのパラメータを表示するパラメータ表示部５０としての機能を実現してもよい。
【００５５】
また、パラメータ表示部５０は、１００％ピーク白輝度Ｌ１００ＩＲＥ、１０９％ピーク白輝度Ｌ１０９ＩＲＥの計算値、システムガンマγの値のいずれかまたはそれら任意の組の表示を省略してもよい。計算値の表示が省略される場合には、ステップＳ１０２において輝度制御部２０は、それらの計算値を算出する処理を省略してもよい。
【００５６】
また、パラメータ表示部５０は、省略した輝度の計算値に代えて、またはその計算値とともに自動測定部４０が測定した輝度の実測値を表示してもよい。その場合、ステップＳ１０２において輝度制御部２０は、基準映像として、さらに１００％ピーク白輝度映像と１０９％ピーク白輝度映像を映像表示部６０に順次表示させる。輝度制御部２０は、自動測定部４０が測定した１００％ピーク白輝度Ｌ１００ＩＲＥと１０９％ピーク白輝度映像Ｌ１０９ＩＲＥそれぞれの実測値を取得し、パラメータ表示部５０に出力する。よって、ユーザーは、実測値と計算値、実測値と実ピーク輝度ＬＤｉｓｐの値をそれぞれ比較して、ディスプレイが映像信号レベルで指示される１００％ピーク白輝度映像、１０９％ピーク白輝度映像またはその両者が表現されるか否かを確認することができる。
【００５７】
さらに、上述した基準黒レベル、基準白レベル、ピーク白レベルの値が、それぞれ０［ＩＲＥ］、５０［ＩＲＥ］、１００［ＩＲＥ］もしくは１０９［ＩＲＥ］である場合を例にしたが、これらの値は上述したものに限られない。例えば、基準白レベルの値は、７０［ＩＲＥ］であってもよい。
【００５８】
また、輝度調整装置１は、コンピュータとして実現されてもよい。その場合、輝度調整装置１は、ＣＰＵなどの制御デバイスを含んで構成される。制御デバイスは、インストールした制御プログラムで指示される処理を実行することによって映像入力部１０、輝度制御部２０、ユーザー制御入力部３０、自動測定部４０、および映像表示部６０のいずれか、またはそれらの任意の組み合わせとして機能する。
【符号の説明】
【００５９】
１…輝度調整装置、１０…映像入力部、２０…輝度制御部、３０…ユーザー制御入力部、４０…自動測定部、５０…パラメータ表示部、６０…映像表示部
【図１】
2017120330.tif 000006
【図２】
2017120330.tif 000007
【図３】
2017120330.tif 000008
【図４】
2017120330.tif 000009
【図５】
2017120330.tif 000010